(57)【要約】      （修正有）【課題】写真と装飾材料とを組み合わせることでフォトフレームとしての機能を備える観賞用ブロックを提供する。【解決手段】観賞用ブロックは、内部を視認するための透明窓となる蓋体１５を備えた収納ボックス１１と、収納ボックス１１内に配置されて蓋体１５を介して視認される花と、収納ボックス１１内に配置されて蓋体１５を介して花とともに視認可能に写真を保持する写真保持部材１３と、を有している。【選択図】図１
2016144494.tif 000002
【特許請求の範囲】
【請求項１】
内部を視認するための透明窓を備えた箱体である収納ボックスと、
前記収納ボックス内に配置されて、前記透明窓を介して視認される装飾部材と、
前記収納ボックス内に配置されて、前記透明窓を介して前記装飾部材とともに視認可能に写真を保持する写真保持部材と、
を有することを特徴とする観賞用ブロック。
【請求項２】
前記収納ボックスは密閉構造に構成されており、その内部に不活性ガスが封入されていることを特徴とする請求項１に記載された観賞用ブロック。
【請求項３】
前記収納ボックスは密閉構造に構成されており、その内部に除湿剤を有していることを特徴とする請求項１又は２に記載された観賞用ブロック。
【請求項４】
前記収納ボックスは密閉構造に構成されており、その内部に脱酸素剤を有していることを特徴とする請求項１から３のいずれかに記載された観賞用ブロック。
【発明の詳細な説明】
【技術分野】
【０００１】
本発明は、装飾材料を内部に封じ込んで、装飾用置物として用いることができる観賞用ブロックに関する。
【背景技術】
【０００２】
従来より、一部が透明性を有する材料により形成された容器の内部空間を透明性の仕切壁により仕切り、仕切られた前方空間と後方空間とのそれぞれに装飾材料を収納可能とした観賞用ブロックが提案されている（特許文献１参照）。
【先行技術文献】
【特許文献】
【０００３】
【特許文献１】特開２０１３−２４０９５７号公報
【発明の概要】
【発明が解決しようとする課題】
【０００４】
例えば、観賞用ブロック内の装飾材料には花を用いることが多い。そのため、このような観賞用ブロックをフォトフレームとして利用することができれば、ユーザにとって思い出のある写真を花々により装飾した魅力ある商品を提供することができる。
【０００５】
本発明はかかる事情に鑑みてなされたものであり、その目的は、写真と装飾材料とを組み合わせることでフォトフレームとしての機能を備える観賞用ブロックを提供することである。
【課題を解決するための手段】
【０００６】
かかる課題を解決するために、本発明は、内部を視認するための透明窓を備えた箱体である収納ボックスと、収納ボックス内に配置されて、透明窓を介して視認される装飾部材と、収納ボックス内に配置されて、透明窓を介して装飾部材とともに視認可能に写真を保持する写真保持部材と、を有している。
【０００７】
ここで、本発明において、収納ボックスは密閉構造に構成されており、その内部に不活性ガスが封入されていることが好ましい。
【０００８】
また、本発明において、収納ボックスは密閉構造に構成されており、その内部に除湿剤を有していることが好ましい。
【０００９】
さらに、本発明において、収納ボックスは密閉構造に構成されており、その内部に脱酸素剤を有していることが好ましい。
【発明の効果】
【００１０】
本発明によれば、観賞用ブロックをフォトフレームとして利用することができる。これにより、写真が装飾材料により装飾され、魅力ある商品を提供することができる。
【図面の簡単な説明】
【００１１】
【図１】観賞用ブロックの分解斜視図
【図２】観賞用ブロックの分解斜視図
【図３】意匠ボックスを裏面側から見たときの斜視図
【図４】観賞用ブロックの斜視図
【発明を実施するための形態】
【００１２】
図１及び図２は、本実施形態に係る観賞用ブロック１の分解斜視図であって、図１は内部ブロック群１０を示し、図２は外部ブロック群２０を示している。本実施形態に係る観賞用ブロック１（図４参照）は、内部ブロック群１０と、外部ブロック群２０とから構成されている。
【００１３】
内部ブロック群１０は、収納ボックス１１と、台座部品１２と、写真保持部材１３と、花台座１４と、蓋体１５とを備えている。
【００１４】
収納ボックス１１は、筒体１１ａと、底板１１ｂと、鍔部１１ｃとから構成されている。
【００１５】
筒体１１ａは、略四角筒状に形成された部材である。この筒体１１ａは、一端から他端にかけて断面積が拡大するような一定の抜き勾配θが設定されている。底板１１ｂは、筒体１１ａにおける一端を閉塞する部材であって、略四角形状の平板として構成されている。この底板１１ｂにより筒体１１ａの一端が閉塞されて、筒体１１ａと底板１１ｂとからなる箱体が構成される。
【００１６】
鍔部１１ｃは、筒体１１ａにおける他端（開放端）の先端１１ｄよりも若干下がった位置に、フランジ状に張り出して形成される枠体である。収納ボックス１１は、筒体１１ａと、底板１１ｂと、鍔部１１ｃとが合成樹脂にて一体成形されており、各部１１ａ〜１１ｃにはつなぎ目等がない構造とされている。
【００１７】
台座部品１２は、収納ボックス１１内に収納されるものである。この台座部品１２は、下板１２ａと、柱部材１２ｂと、台座板１２ｃと、複数の保持板１２ｄと、を有している。
【００１８】
下板１２ａは、収納ボックス１１の内側に収容される板材であって、収納ボックス１１の底板１１ｂに接触して配置される、又は所定距離離間した状態で底板１１ｂと平行に配置される略四角形状の板材である。
【００１９】
柱部材１２ｂは、下板１２ａの中央部に起立するように形成された円柱状又は円筒状の部材である。この柱部材１２ｂは、収納ボックス１１の筒体１１ａから飛び出さない程度に突出しており、例えば筒体１１ａの高さの約３分の１〜２分の１程度の長さとされている。
【００２０】
台座板１２ｃは、柱部材１２ｂの先端に設けられた板材である。台座板１２ｃは、下板１２ａと平行配置されると共に下板１２ａの約５分の１〜２分の１程度の面積に設定されている。
【００２１】
複数の保持板１２ｄは、下板１２ａの所要位置に設定されており、他端側へと突出するよう立設された板材である。本実施形態において複数の保持板１２ｄは、下板１２ａの各頂点に対応して、４つ設定されている。また、複数の保持板１２ｄは、それぞれが筒体１１ａの形状に沿うように、角度θ（＝抜き勾配θ）だけ外方に傾いた状態となっている。このような形状的な作用により、各保持板１２ｄが筒体１１ａの内側面に接触することとなり、収納ボックス１１の開放側を横方向に向けた場合であっても、台座板１２ｃを鉛直状態に保持するができる。
【００２２】
なお、本実施形態において、柱部材１２ｂと台座板１２ｃとは、アクリルやポリエチレンテレフタレート等を主原料とした透明性を有する材料により形成されており、下板１２ａと複数の保持板１２ｄが有色の材料により形成されている。しかし、これに限らず、台座部品１２は、全体が透明性を有する材料により形成されてもよいし、全体が有色の材料により形成されていてもよい。
【００２３】
写真保持部材１３は、第１の平板１３ａと第２の平板１３ｂと第１及び第２の平板１３ａ，１３ｂを接続する曲板１３ｃとを有している。第１及び第２の平板１３ａ，１３ｂ間の隙間は非常に小さくされており、写真保持部材１３はこの隙間を利用して写真ＰＰ等の用紙を挟持することができる。また、写真保持部材１３は、第１の平板１３ａと第２の平板１３ｂのいずれか一方の外側面が台座板１２ｃに取り付け固定される。固定方法は、接着剤でもよいが、後の取り外しを考慮すると両面テープ等が適当である。
【００２４】
なお、本実施形態において写真保持部材１３は、アクリルやポリエチレンテレフタレート等を主原料とした透明性を有する材料により形成されているが、これに限らず、第１及び第２の平板１３ａ，１３ｂのいずれか一方と曲板１３ｃとが有色の材料により構成され、第１及び第２の平板１３ａ，１３ｂのいずれか他方が透明性を有する材料により形成されていてもよい。すなわち、写真保持部材１３は、収納ボックス１１の開放側から視認した場合において、写真ＰＰが視認可能であればどのように構成されていてもよい。
【００２５】
花台座１４は、柱部材１２ｂの周囲且つ下板１２ａ上に配置されるやや厚みを有した板材である。この花台座１４は、収納ボックス１１内において花を支持固定するものであって、好適には発泡スチロールが用いられる。このような花台座１４は、中央部に開孔１４ａが形成されており、柱部材１２ｂ及び台座板１２ｃは、この開孔１４ａを貫通することとなる。
【００２６】
蓋体１５は、透明性を有する材料により形成された板材であって、収納ボックス１１の開放部（筒体１１ａの開放端）を、例えばシリコン材といった接着剤を介して閉塞するものである。この蓋体１５の裏面側（組立てたときの収納ボックス１１側）には、蓋体１５の縁部に沿って周状の溝１５ａが形成されている。この溝１５ａは、収納ボックス１１の鍔部１１ｃから突出する収納ボックス１１の先端１１ｄが嵌るように設定されている。このような形状により、蓋体１５と収納ボックス１１との接着距離を長く確保して接着性を高めるように工夫されている。
【００２７】
蓋体１５は、ポリエチレンテレフタレートを主原料として構成され、表面（裏面でも可）に紫外線の透過を抑制する紫外線カットフィルムが貼り付けられている。これにより、蓋体１５は酸素の透過を防止すると共に、紫外線の透過についても抑制することとなる。
【００２８】
以上のような内部ブロック群１０は、図２に示す外部ブロック群２０内に収納されることとなる。外部ブロック群２０は、意匠ボックス２１と、枠部材２２と、台紙２３と、デザイン板２４とを備えている。
【００２９】
意匠ボックス２１は、後述するように、四角筒の一端を閉塞した木製の箱体であって、蓋体１５により開放側が閉塞された収納ボックス１１の蓋体１５側を除いて覆うように構成されている。この意匠ボックス２１における開放側の周縁部分には、４つの突起部２１ａが形成されている。この突起部２１ａは後述する枠部材２２の突起受け部２２ａに嵌り込む構造となっている。
【００３０】
枠部材２２は、中央に開口を有する枠状の部材であり、意匠ボックス２１の開放端及び蓋体１５の周縁部を覆うように配設される。枠部材２２は、絵画等の額縁と同様に、木材や金属部材により構成されており、適宜装飾が施されている。また、枠部材２２が木材により構成されている場合には、ニス材により表面保護と光沢向上とが図られていてもよい。
【００３１】
このような枠部材２２は、裏面側に４つの突起受け部２２ａが形成されている。この４つの突起受け部２２ａは、意匠ボックス２１の突起部２１ａが嵌め込まれる構造となっている。これにより、枠部材２２が意匠ボックス２１に取り付けられる。なお、突起受け部２２ａには接着剤が充填され、そのうえで突起部２１ａが嵌め込まれることが望ましい。
【００３２】
台紙２３は、意匠ボックス２１と枠部材２２との間に介在する厚紙であって、枠部材２２と同様に中央に開口を有する枠状の部材である。また、台紙２３は、枠内側から枠外側に向けて４つの切り欠き部２３ａを有している。この切り欠き部２３ａは、意匠ボックス２１の突起部２１ａの位置と対応して形成されている。
【００３３】
デザイン板２４は、透明性を有する材料によって形成され、平板部２４ａと、鉤部２４ｂとを備えている。平板部２４ａは、表面又は裏面に絵柄Ｐが施された装飾板である。鉤部２４ｂは、平板部２４ａの端部に接続されて平板部２４ａの裏面側に延びる第１板２４ｂ１と、第１板２４ｂ１の先端に接続されてデザイン板２４の内側に延びる第２板２４ｂ２により構成されている。鉤部２４ｂは、略四角形状を有するデザイン板２４の４辺のうち対向する２辺に対して形成されている。このため、デザイン板２４は枠部材２２に対してスライド挿入可能となる。そして、平板部２４ａは、鉤部２４ｂの第２板２４ｂ２が枠部材２２の背面側に引っ掛かることにより、枠部材２２上に配置されることとなる。
【００３４】
図３は、意匠ボックス２１を裏面側から見たときの斜視図であり、（ａ）は裏面側全体を示し、（ｂ）は一部構成を取り除いた状態を示し、（ｃ）は一部構成のみを示している。図３に示すように意匠ボックス２１は分解可能となっており、この分解構造により収納ボックス１１内の花等の入れ替え作業を効率良く行うことができる。
【００３５】
具体的には、意匠ボックス２１は、筒部材２１ｂと、底面板２１ｃと、突起部２１ｄとを備えている。筒部材２１ｂは、図３（ａ）に示すように、４枚の板を組み合わせて形成された四角筒である。底面板２１ｃは、筒部材２１ｂの一端を閉塞すると共に取り外し可能な板材である。この底面板２１ｃには、底面板２１ｃの取り外しを容易とすべく、指等の挿入切り欠き２１ｃ１が形成されている。この挿入切り欠き２１ｃ１は、底面板２１ｃの４辺のうちの１つの辺に形成されている。
【００３６】
また、この底面板２１ｃを取り除くと、図３（ｂ）に示すように、４つの突起部２１ｄが裏面側から露出する。４つの突起部２１ｄは、筒部材２１ｂの内側に向かって突出して底面板２１ｃの取り外し時において収納ボックス１１が筒部材２１ｂの裏面側から離脱することを防止するものであって、四角柱により構成されている。すなわち、４つの突起部２１ｄが設けられることにより、収納ボックス１１は底面側から脱落しないように支えられる構造となっている。
【００３７】
さらに、４つの突起部２１ｄは、筒部材２１ｂに対して着脱可能となっている。具体的には図３（ｃ）に示すように、突起部２１ｄのそれぞれは、四角柱の側壁に垂直に立設された２本の突出棒２１ｄ１を有している。また、筒部材２１ｂには、２本の突出棒２１ｄ１が嵌る穴部（図示せず）が形成されている。このため、突起部２１ｄは、筒部材２１ｂの穴部から２本の突出棒２１ｄ１を抜くことにより、突起部２１ｄを取り外すことができ、これにより４つの突起部２１ｄは、筒部材２１ｂに対して着脱可能となっている。
【００３８】
次に、本実施形態に係る観賞用ブロック１の組立方法を説明する。まず、作業者は内部ブロック群１０を作成する。この内部ブロック群１０の作成にあたり、作業者は、収納ボックス１１内に台座部品１２を配置し、台座部品１２の台座板１２ｃ上に写真保持部材１３を貼り付け等する。次いで、例えば花の茎が差し込まれたりテープ等にて花が貼りつけられたりした花台座１４を柱部材１２ｂの周囲に配置し、写真保持部材１３に写真ＰＰを挟持させる。その後、作業者は、収納ボックス１１の鍔部１１ｃにシリコン材等の接着剤を塗布し、収納ボックス１１の先端１１ｄを蓋体１５の溝１５ａに嵌め込む。
【００３９】
この組立工程において、内部ブロック群１０の内部には、例えば台座部品１２の下板１２ａの裏面側等に、除湿剤や、脱酸素剤を投入しておく。
【００４０】
以上により、内部ブロック群１０が製造される。なお、内部ブロック群１０の内部については酸素を除去しておくことはいうまでもない。例えば、収納ボックス１１に不活性ガス注入用の孔（１箇所）が予め設けられている場合、開放側を蓋体１５によって閉塞した後に不活性ガス注入用の孔からアルゴンガスや窒素ガスなどの不活性ガスを注入し、その後、不活性ガス注入用の孔を封入する。このほか、収納ボックス１１の開放側を蓋体１５によって閉塞するまえに、収納ボックス１１内に酸化鉄（食用の脱酸素剤がより望ましい）を投入しておき、酸化鉄の化学反応により収納ボックス１１内の酸素を消費させるようにしてもよい。
【００４１】
次に、作業者は外部ブロック群２０を作成する。この際、作業者は、意匠ボックス２１内に組立後の内部ブロック群１０を収納する。次いで、意匠ボックス２１の突起部２１ａと切り欠き部２３ａとが対応するように台紙２３を載置し、その上から枠部材２２を被せる。このとき、作業者は、枠部材２２の突起受け部２２ａ内に接着剤を充填しておき、突起受け部２２ａを突起部２１ａに嵌め込む。その後、作業者は、デザイン板２４を枠部材２２に対してスライド挿入する。これにより、第２板２４ｂ２が枠部材２２の背面側に引っ掛かり抜け止めされることとなる。
【００４２】
以上により、観賞用ブロック１の組立が完了する。そして、デザイン板２４の正面から観賞用ブロック１を視認した場合には、図４に示すように認識される。図４に示すように、観賞用ブロック１の中央には写真保持部材１３により挟持された写真ＰＰが見え、その写真ＰＰの周囲には花が視認される。これにより、装飾性に富んだフォトフレームとしての観賞用ブロック１が提供される。
【００４３】
なお、収納ボックス１１内の花や写真ＰＰを取り換えたい場合、作業者は、まず意匠ボックス２１の底面板２１ｃを挿入切り欠き２１ｃ１を介して取り外す。次に、４つの突起部２１ｄを取り外し、意匠ボックス２１の裏面側から内部ブロック群１０を取り出す。その後、作業者は蓋体１５を取り外して花や写真ＰＰを取り換える。以後、上記と同様にして内部ブロック群１０を組み立て、意匠ボックス２１内に裏面側から内部ブロック群１０を収納する。次いで、作業者は、４つの突起部２１ｄを取り付け、底面板２１ｃを嵌め込む。以上により、花や写真ＰＰの取り換え作業についても行うことができる。
【００４４】
このように本実施形態において、観賞用ブロック１は、内部を視認するための透明窓となる蓋体１５を備えた収納ボックス１１と、収納ボックス１１内に配置されて蓋体１５を介して視認される花と、収納ボックス１１内に配置されて蓋体１５を介して花とともに視認可能に写真ＰＰを保持する写真保持部材１３と、を有している。
【００４５】
この構成によれば、透明窓となる蓋体１５から、写真保持部材１３により挟持された写真ＰＰが見え、その写真ＰＰの周囲には花が視認される。これにより、観賞用ブロック１をフォトフレームとして利用することができる。これにより、写真ＰＰが装飾材料である花により装飾され、顧客にとって魅力ある商品を提供することができる。
【００４６】
また、切り花やドライフラワーにおいては、植物の水分は残っている酵素が作用する機会を与えることになるため、酵素による褐変化が進行しやすくなる。そのため、植物の退色、色の変化を抑えるため、できるだけ乾燥状態を保つことが必要となる。一方、植物色素はその色素が吸収する可視光によって、自己光増感酸化反応が生じやすいため、色あせの原因となる。ここで、自己光増感酸化反応とは、色素が光エネルギーを吸収し、そのエネルギーを酸素分子に渡して活性酸素（この場合、反応性の高い一重項酸素分子）とし、この活性酸素が色素分子を酸化分解する反応をいう。
【００４７】
本実施形態に係る観賞用ブロック１によれば、収納ボックス１１の開放部分を接着剤を介して蓋体１５で閉塞しているため、収納ボックス１１を密閉構造として構成することができる。また、蓋体１５はポリエチレンテレフタレートを主原料として構成されているため、アクリルのように酸素を透すことがない。加えて、蓋体１５に紫外線カットフィルムが貼り付けられているため、紫外線の透過量を抑制することができる。また、除湿剤、脱酸素剤、内部空間へのアルゴンガス等の不活性ガスの封入により、花の劣化の原因となる温度、酸化、湿度及び紫外線の４要素のうち、自己光増感酸化反応を引き起こす酸化、湿度及び紫外線の３要素について改善されることとなる。したがって、花の劣化をより抑えることが可能となる。
【００４８】
また、写真保持部材１３は、２つの平板１３ａ，１３ｂの間で写真ＰＰを挟持可能であり、これらの平板１３ａ，１３ｂのいずれか一方の外側面が台座板１２ｃに取り付け固定される。そのため、例えば台座板１２ｃに写真ＰＰを直接貼りつけることなく、写真保持部材１３により写真ＰＰを挟持させて写真保持部材１３を台座板１２ｃに取り付けることとなる。これにより、写真ＰＰの曲がりや反り返り等を防止でき、一層装飾性を向上させることができる。
【００４９】
以上、実施形態に基づき本発明を説明したが、本発明は上記実施形態に限られるものではなく、本発明の趣旨を逸脱しない範囲で、変更を加えてもよい。
【００５０】
例えば、本実施形態において装飾材料は花であるが、花に代えて、ブーケ等の把持部分に巻かれていた布材を切り取ったものなど、他の装飾材料を収納してもよい。
【符号の説明】
【００５１】
１       観賞用ブロック
１０       内部ブロック群
１１       収納ボックス
１２       台座部品
１３       写真保持部材
１４       花台座
１５       蓋体
２０       外部ブロック群
２１       意匠ボックス
２２       枠部材
２３       台紙
２４       デザイン板
Ｐ       絵柄
ＰＰ       写真
【図１】
2016144494.tif 000003
【図２】
2016144494.tif 000004
【図３】
2016144494.tif 000005
【図４】
2016144494.tif 000006